(57)【特許請求の範囲】
【請求項１】
その内方に負圧吸引する負圧吸引手段が連結される接続孔を有する凹部を有し、作業者の片手に装着可能な装置本体と、
前記装置本体の前記凹部に着脱可能であり、前記接続孔に接続される排出孔をその正面形状のほぼ中央に有し、被介護者の人体の表面に接触して清拭する使い捨て式の清拭部材と、
前記清拭部材に洗浄液を供給する洗浄液供給手段と、
前記装置本体と前記清拭部材とを、相対的に変位駆動する変位駆動手段と、
前記装置本体の前記凹部を囲む頂部に設けられ、前記洗浄液供給手段から供給される洗浄液を前記清拭部材の周縁に吐出する吐出孔とを含むことを特徴とする人体の清拭装置。
【請求項２】
前記清拭部材は、複数枚重ねられた各清拭部材を、１枚ずつ取外し可能であり、
前記洗浄液は、石鹸水または水であり、
前記洗浄液供給手段は、石鹸水と水とを、選択的に供給することを特徴とする請求項１記載の人体の清拭装置。
【請求項３】
前記清拭部材は、汚物拭き取り用、仕上げ拭き取り用および乾燥拭き取り用の各清拭部材を１組として構成されることを特徴とする請求項２記載の人体の清拭装置。
【請求項４】
前記清拭部材は、
この上部周縁に、周方向に延びる第１溝と、
前記第１溝に連なり、周方向に湾曲した弧状の第２溝とを有し、
前記洗浄液供給手段からの洗浄液は、前記第１溝に吐出されることを特徴とする請求項１〜３のうちいずれか１つに記載の人体の清拭装置。
【請求項５】
前記洗浄液供給手段は、
洗浄液を貯留する洗浄液タンクと、
このタンクからの洗浄液を、前記装置本体に導く第１可撓管とを有し、
前記負圧吸引手段は、
汚物を貯留する汚物タンクと、
前記装置本体の前記接続孔と前記汚物タンクとを連結する第２可撓管とを含み、
前記洗浄液タンクと前記汚物タンクとを搭載する台車を含むことを特徴とする請求項１〜４のうちいずれか１つに記載の人体の清拭装置。
【請求項６】
前記変位駆動手段は、前記清拭部材を、前記凹部の周方向に角変位することを特徴とする請求項１〜５のうちいずれか１つに記載の人体の清拭装置。
【請求項７】
前記変位駆動手段は、前記装置本体と前記清拭部材とを相対的に周方向一方に変位駆動し、
前記第２溝は、周方向他方に湾曲した弧状に形成され、
前記吐出孔は、吐出する洗浄液が前記第１溝を周方向他方に流れるように配設されることを特徴とする請求項４記載の人体の清拭装置。
【発明の詳細な説明】
【０００１】
【発明の属する技術分野】
本発明は、たとえば老人などの被介護者のおむつを取外した後に、その被介護者の人体を清拭するための人体の清拭装置に関する。
【０００２】
【従来の技術】
従来から、おむつを使用する介護、看護を必要とする被介護者のおむつを交換するにあたり、その使用したおむつを取外した後、介護者が、タオル、またははな紙などを用いて、被介護者の人体を清浄にしている。この作業は、特に排便後のおむつを被介護者から取外した後、手間のかかる厄介な重労働になる。
【０００３】
【発明が解決しようとする課題】
本発明の目的は、排便、排尿後の被介護者の人体を、簡便な作業で清浄化することができるようにした人体の清拭装置を提供することである。
【０００４】
【課題を解決するための手段】
本発明は、その内方に負圧吸引する負圧吸引手段が連結される接続孔を有する凹部を有し、作業者の片手に装着可能な装置本体と、
前記装置本体の前記凹部に着脱可能であり、前記接続孔に接続される排出孔をその正面形状のほぼ中央に有し、被介護者の人体の表面に接触して清拭する使い捨て式の清拭部材と、
前記清拭部材に洗浄液を供給する洗浄液供給手段と、
前記装置本体と前記清拭部材とを、相対的に変位駆動する変位駆動手段と、
前記装置本体の前記凹部を囲む頂部に設けられ、前記洗浄液供給手段から供給される洗浄液を前記清拭部材の周縁に吐出する吐出孔とを含むことを特徴とする人体の清拭装置である。
【０００６】
本発明に従えば、被介護者のおむつを取外した後、介護者は装置本体を片手に装着した状態で、清拭部材を被介護者の殿部、さらには殿溝、後大腿部の上部付近、さらに仙骨部などを、洗浄液、水を含む清拭部材によって清拭する。こうして排便または排尿後のおむつを取外した状態で、被介護者の人体を清浄にし、清潔な状態とすることができる。変位駆動手段によって清拭部材を装置本体に対して相対的に変位駆動し、たとえば回転駆動するなどし、これによって被介護者の人体に装置本体を介護者が押し当てたままの状態で、その人体表面をさらに清浄化することができる。
また本発明では、装置本体の凹部に設けられた清拭部材に、洗浄液供給手段から吐出孔を経て洗浄液を供給し、これによって清拭部材による人体の清浄が確実になる。洗浄液は、純水であってもよいが、石鹸水を含む水であってもよく、そのほかの組成を有する液体であってもよい。被介護者の人体に便が付着している状態では、清拭部材の排出孔から負圧吸引手段によってその便を吸引して容易に取り除くことができる。
さらに本発明では、清拭部材の周縁に洗浄液を吐出する吐出孔が凹部を囲む頂部に設けられ、中心に排出孔から負圧吸引手段によって負圧吸引可能に構成されている。したがって吐出される洗浄液を清拭部材の周縁から中心に向かって流すことができる。
【００１１】
また本発明は、前記清拭部材は、複数枚重ねられた各清拭部材を、１枚ずつ取外し可能であり、
前記洗浄液は、石鹸水または水であり、
前記洗浄液供給手段は、石鹸水と水とを、選択的に供給することを特徴とする。
【００１２】
また本発明は、前記清拭部材は、汚物拭き取り用、仕上げ拭き取り用および乾燥拭き取り用の各清拭部材を１組として構成されることを特徴とする。
【００１３】
本発明に従えば、清拭部材は、複数枚重ねられ、１枚ずつ取外し可能とし、これによって使用されたおむつを取外した後にはまず、便を取り除く汚物拭き取り用清拭部材を用いて、人体に付着している便などの汚物を取り除き、次に汚物拭き取り用部材を取外すことによって、仕上げ拭き取り用清拭部材が露出して使用可能な状態となり、仕上げ拭き取り用清拭部材を用いて人体を清浄化する。汚物拭き取り用清拭部材の使用時には、洗浄液を供給するようにしてもよい。仕上げ拭き取り用清拭部材の使用時には、水を供給することが好ましい。
【００１４】
こうして人体表面が清浄化された後、最後に、乾燥拭き取り用清拭部材で人体の水分を除去する。こうして清浄になり、乾燥された状態となった被介護者の人体に、新たなおむつを装着する。
【００１５】
また本発明は、前記清拭部材は、
この上部周縁に、周方向に延びる第１溝と、
前記第１溝に連なり、周方向に湾曲した弧状の第２溝とを有し、
前記洗浄液供給手段からの洗浄液は、前記第１溝に吐出されることを特徴とする。
【００１６】
本発明に従えば、洗浄液供給手段からの洗浄液または水は、清拭部材の第１溝から第２溝を経て流れ、これによって清拭部材のほぼ全面にわたって、洗浄液、水を均一に供給することができる。したがって清拭部材に接触する人体の清拭すべき全面を、均一に清浄化することができる。
【００１７】
また本発明は、前記洗浄液供給手段は、
洗浄液を貯留する洗浄液タンクと、
このタンクからの洗浄液を、前記装置本体に導く第１可撓管とを有し、
前記負圧吸引手段は、
汚物を貯留する汚物タンクと、
前記装置本体の前記接続孔と前記汚物タンクとを連結する第２可撓管とを含み、
前記洗浄液タンクと前記汚物タンクとを搭載する台車を含むことを特徴とする。
【００１８】
本発明に従えば、たとえば車輪付き台車などに、洗浄液供給手段の洗浄液タンクと負圧吸引手段の汚物タンクなどを搭載し、第１および第２可撓管を経て装置本体に接続され、こうして比較的重量が大きい洗浄液タンクおよび汚物タンクなどの運搬を容易にし、作業性を向上することができる。
【００１９】
また本発明は、前記変位駆動手段は、前記清拭部材を、前記凹部の周方向に角変位することを特徴とする。
【００２０】
本発明に従えば、清拭部材は装置本体と相対的に、凹部の周方向にモータなどの駆動源によって角変位するように構成し、これによって装置本体を介護者が被介護者の人体に押し当てて接触したままの状態で、人体の清浄化を容易に行うことができ、作業性が向上される。
また本発明は、前記変位駆動手段は、前記装置本体と前記清拭部材とを相対的に周方向一方に変位駆動し、
前記第２溝は、周方向他方に湾曲した弧状に形成され、
前記吐出孔は、吐出する洗浄液が前記第１溝を周方向他方に流れるように配設されることを特徴とする。
本発明に従えば、第２溝の湾曲した形状が周方向他方に凸であり、これによって第２溝を流れる洗浄液、水の速度が、清拭部材の変位駆動によって抑制される。このように抑制することによって、たとえば清拭部材が洗浄液を吸収可能な材料で形成される場合、清拭部材に吸収される時間を長くし、湿り気を高い程度とすることができる。
【００２１】
【発明の実施の形態】
図１は、本発明の実施の一形態の人体の清拭装置１の全体の構成を簡略化して示す斜視図である。この清拭装置１は基本的に、清拭部材２が着脱可能に装着された装置本体３が、第１および第２可撓管４，５を介して台車６上に搭載された洗浄液、水の各タンク７，３７と汚物タンク８とにそれぞれ接続されて構成される。
【００２２】
図２は、装置本体３を作業者の片方の手９に装着した状態を示す斜視図である。装置本体３の清拭部材２と反対側の表面には、ベルト１１の両端部１２，１３が固定される。この装置本体３の背部１４とベルト１１との間に手９を装着し、手掌が背部１４に接触し、手背がベルト１１の図２における下面に接触する状態で、前記背部１４に形成された突部１５を、親指と人差し指との間に位置することによって、装置本体３を片方の手９によって操作することが容易である。
【００２３】
図３は、清拭部材２の簡略化した斜視図である。清拭部材２には、装置本体３に周方向に間隔をあけて設けられた複数（たとえば４）のノズル１７から洗浄液および水が供給されることによって、老人等の被介護者の人体を正常にすることができる。清拭部材２のほぼ中央には排出孔１８が形成される。この排出孔１８からは、過剰な洗浄液または水が排出され、またおむつを取外した後に人体に付着している便などを排出することもできる。清拭部材２の全体の形状は、浅い皿状であり、その円形の平面形状のほぼ中央に、前述のように排出孔１８が形成される。洗浄液は石鹸水と水道水との混合物であってもよい。
【００２４】
図４は装置本体３の構成を示す簡略化した斜視図であり、図５は装置本体３の簡略化した断面図である。これらの図面を参照して、装置本体３の背部１４と反対側の図５の上部には、凹部１９を有する受け部２１が設けられる。この受け部２１には、凹部１９において清拭部材２が着脱可能に、装着される。受け部２１には、そのほぼ中央に挿通孔２２が形成される。この挿通孔２２には、清拭部材２の排出孔１８を有する接続筒部２３が挿通する。
【００２５】
装置本体３内には、接続筒部２３に取外し可能に接続される駆動筒２５が連結される。この駆動筒２５は、モータなどの駆動源２６によって一回転方向２７に回転駆動され、したがって清拭部材２が回転駆動される。モータ２６は、たとえば、電池２８から電力が与えられるように構成されてもよいが、可撓性を有する電線を介して商用交流電力が与えられて駆動されるようにしてもよい。駆動筒２５は、回転管継手２９を介して可撓管５の一端部に接続される。
【００２６】
装置本体３にはまた、可撓管４の一端部に接続される分岐管３１が接続される。この分岐管３１には、ノズル１７が接続される。ノズル１７からの洗浄液または水は、清拭部材２の周縁部に上方に開放して臨む環状の第１溝３２に供給される。
【００２７】
図６は清拭部材２の平面図であり、図７はその清拭部材２の断面図である。清拭部材２は、汚物拭き取り用清拭部材２ａと仕上げ拭き取り用清拭部材２ｂと乾燥拭き取り用清拭部材２ｃとの合計３つの清拭部材２ａ〜２ｃを１組として構成される。汚物拭き取り用清拭部材２ａおよび仕上げ拭き取り用清拭部材２ｂの周縁部には、第１溝３２ａ，３２ｂがそれぞれ形成される。総括的に、参照符を数字だけで示し、添え字ａ〜ｃを省略することがある。これらの清拭部材２ａ，２ｂ，２ｃは、上から下に順に重ねられており、対応する部分には、同一の数字に添え字ａ，ｂ，ｃを付す。
【００２８】
これらの清拭部材２は、（ａ）新聞紙などの故紙を用いた再生紙から成ってもよく、（ｂ）再生紙にリグニンとフェノールを加えて、さらに硫酸を加えて構成してもよく、（ｃ）第１溝３２ａ，３２ｂを形成する周縁部のみ、再生紙にリグニンとフェノールを加えて、さらに硫酸を加えて構成し、残余の人体に接触する部分は、水分を吸収しやすくするために、リグニンを除いて、再生紙とフェノールと硫酸とを加えて構成してもよく、（ｄ）さらに前記ａ，ｂまたはｃのいずれか１つの構成において、人体に接触する部分には、羊毛などの動物の微細な毛を混合して快い接触感を生じるようにしてもよい。再生紙というのは、故紙を水に溶かし、その水を取り除き、紙の繊維を取出して素材としたものである。前述のリグニンは、土中に埋めると、植物の養分になり、好都合であり、地球環境を良好に保つことができる。清拭部材２は、（ｅ）たとえばはな紙などによって構成してもよい。清拭部材２は、使用後に廃棄される、いわゆる使い捨て式である。
【００２９】
汚物拭き取り用清拭部材２ａの上面には、供給溝３２ａに連なる弯曲した第２溝３３ａが形成される。したがって汚物拭き取り用清拭部材２ａの第１溝３２ａにノズル１７から洗浄液が供給されることによって、その洗浄液は第１溝３２ａから第２溝３３ａに半径方向外方から内方に向けて、その弯曲した第２溝３３内を流れ、この洗浄液は、第２溝３３ａを流れる途中で汚物拭き取り用清拭部材中に吸収される。こうして汚物拭き取り用清拭部材２ａの表面が洗浄液によって湿った状態となり、この状態で被介護者の人体に付着している便などの汚物を拭き取ることが確実となる。
【００３０】
各清拭部材２ａ，２ｂ，２ｃにそれぞれ設けられる接続筒部２３ａ，２３ｂ，２３ｃは、図７に明らかなように、同軸に設けられるとともに、それらの各接続筒部２３ａ，２３ｂ，２３ｃの下端部は、図７に明らかに示されるように、順次的に上方に配置される。仕上げ拭き取り用清拭部材２ｃの接続筒部２３ｃは、接続孔２４を有する駆動筒２５に接続される。汚物拭き取り用清拭部材２ａおよび仕上げ拭き取り用清拭部材２ｂの各接続筒部２３ａ，２３ｂは、接続筒部２３ｃ内に、前述のように同軸に配置される。駆動筒２５によって前述の接続筒部２３ｃが回転駆動されると、清拭部材２ｃと清拭部材２ｂとの摩擦接触および清拭部材２ｂと清拭部材２ａとの摩擦接触によって、これらの清拭部材２ａ〜２ｃが一体的に、回転駆動されることができる。
【００３１】
汚物拭き取り用清拭部材２ａが汚損した状態では、その汚物拭き取り用清拭部材２ａを、それよりも下方の仕上げ拭き取り用清拭部材２ｂから取外して廃棄する。これによって新鮮な仕上げ拭き取り用清拭部材２ｂが露出した状態となる。そこでノズル１７から水道水などの水を供給する。このノズル１７からの水は、仕上げ拭き取り用清拭部材２ｂの第１溝３２ｂから、その仕上げ拭き取り用清拭部材２ｂの弯曲した第２溝３３ｂを経て接続筒部２３ｂに向けて流れる。こうして被介護者の人体に接触する仕上げ拭き取り用清拭部材２ｂを、汚物拭き取り用清拭部材２ｂの汚損、除去後において新しい状態で、仕上げ拭き取りのために使用することができる。
【００３２】
この仕上げ拭き取り用清拭部材２ｂを使用した後には、その仕上げ拭き取り用清拭部材２ｂを取外して、新鮮な乾燥拭き取り用清拭部材２ｃを露出する。この仕上げ拭き取り用清拭部材２ｃによって、人体に残存している水滴などを除去し、人体表面を乾燥し、清拭作業を終了する。
【００３３】
図８は、ノズル１７から汚物拭き取り用清拭部材２ａに洗浄液が供給される状態を示す簡略化した斜視図である。洗浄液が第２溝３３を弯曲して流れている途中で、洗浄液は、汚物拭き取り用清拭部材２ａ内に吸収され、汚物拭き取り用清拭部材２ａが湿り気を帯びて人体の汚物拭き取り作業が確実に達成され得る好ましい湿った状態となる。
【００３４】
弯曲した第２溝３３ａは、図８に示される実施の形態では、駆動源２６による回転方向２７の下流（図８の左方）に凸に弯曲している。
【００３５】
本発明の実施の他の形態では、回転方向２７は、図８の逆方向であってもよい。第２溝３３ａの弯曲した形状が、回転方向上流（図８の右方）に凸であり、これによって流れる洗浄液、水に作用する遠心力が抑制され、第２溝３３を流れる洗浄液、水の速度が、清拭部材２ａの回転によって抑制され、洗浄液が清拭部材２ａに吸収される時間を長くし、湿り気を高い程度とすることができる。
【００３６】
図９は、本発明の実施の他の形態の斜視図である。汚物拭き取り用清拭部材２ａの第１溝３２ａにノズル１７から洗浄液が供給される。この洗浄液はまた、その清拭部材２ａの表面に直接に供給されるようにしてもよい。
【００３７】
図１０は、台車６の簡略化した斜視図である。台車６に搭載された洗浄液タンク７からは、ポンプ３６を経て可撓管４から洗浄液が供給される。また水タンク３７からポンプ３８によって可撓管４を経て仕上げ拭き取りのために水が供給される。汚物除去のために、負圧吸引ポンプ３９が駆動され、汚物タンク８に便などの汚物が負圧吸引されて投入される。
【００３８】
図１１は、図１〜図１０に示される実施の形態の電気的構成を示すブロック図である。洗浄液供給スイッチ４１および水供給スイッチ４２を個別的に選択して操作することによって、マイクロコンピュータなどで実現される処理回路４３は、モータ２６、ポンプ３６，３８および吸引ポンプ３９を選択的に駆動する。洗浄液供給スイッチ４１が押圧操作されることによって、モータ２６、ポンプ３６および吸引ポンプ３９が駆動される。水供給スイッチ４２が操作されることによってモータ２６、ポンプ３８および吸引ポンプ３９が駆動される。これらのスイッチ４１，４２は、装置本体３に設けられてもよいが、台車６に設けられてもよい。洗浄液供給手段は、第１可撓管４、洗浄液タンク７、ノズル１７およびポンプ３６などを含んで構成される。変位駆動手段は、モータなどの駆動源２６、スプロケットホイール、無端状チェーンなどの動力伝達機構などを含んで構成される。負圧吸引手段は、第２可撓管５、汚物タンク８および負圧吸引ポンプ３９などを含んで構成される。
【００３９】
【発明の効果】
本発明によれば、たとえば老人などの被介護者の排便、排尿後のおむつを取外した後、その人体を清浄化することが容易に行うことができ、作業性が向上される。本発明は、おむつを取外した後に使用されるだけでなく、そのほか人体を清浄にするために広範囲に実施することができる。
【図面の簡単な説明】
【図１】本発明の実施の一形態の人体の清拭装置１の全体の構成を簡略化して示す斜視図である。
【図２】装置本体３を作業者の片方の手９に装着した状態を示す斜視図である。
【図３】清拭部材２の簡略化した斜視図である。
【図４】装置本体３の構成を示す簡略化した斜視図である。
【図５】装置本体３の簡略化した断面図である。
【図６】清拭部材２の平面図である。
【図７】その清拭部材２の断面図である。
【図８】ノズル１７から汚物拭き取り用清拭部材２ａに洗浄液が供給される状態を示す簡略化した斜視図である。
【図９】本発明の実施の他の形態の斜視図である。
【図１０】台車６の簡略化した斜視図である。
【図１１】図１〜図１０に示される実施の形態の電気的構成を示すブロック図である。
【符号の説明】
１  人体の清拭装置
２  清拭部材
２ａ  汚物拭き取り用清拭部材
２ｂ  仕上げ拭き取り用清拭部材
２ｃ  乾燥拭き取り用清拭部材
３  装置本体
４  第１可撓管
５  第２可撓管
６  台車
７  洗浄液タンク
８  汚物タンク
９  手
１８  排出孔
１９  凹部
２６  駆動源
３２  第１溝
３３  第２溝
３７  水タンク
３９  吸引ポンプ
【図１】
0003825712.tif 000002
【図２】
0003825712.tif 000003
【図３】
0003825712.tif 000004
【図４】
0003825712.tif 000005
【図５】
0003825712.tif 000006
【図６】
0003825712.tif 000007
【図７】
0003825712.tif 000008
【図８】
0003825712.tif 000009
【図９】
0003825712.tif 000010
【図１０】
0003825712.tif 000011
【図１１】
0003825712.tif 000012